(57)【特許請求の範囲】
【請求項１】
底壁に電線通孔が設けられた中空状の収容体と、
前記底壁に取付けられて放電ランプを支持するランプホルダ部と、
前記収容体内に前記電線通孔を覆い隠して配置された安定器と、
この安定器と前記底壁内面との間に前記電線通孔に連通する通線間隙を形成して、これら安定器と底壁内面とのいずれか一方に固定されたスペーサ手段と、
前記通線間隙及び前記電線通孔を通って前記ランプホルダ部と前記安定器とを電気的に接続する電線と、
を具備し、
前記スペーサ手段の先端部をこれに対応して前記底壁又は前記安定器に設けられた溝に嵌合させることを特徴とする安定器付きランプホルダ。
【請求項２】
前記スペーサ手段を前記安定器に設けたことを特徴とする請求項１記載の安定器付きランプホルダ。
【請求項３】
前記スペーサ手段を前記電線通孔を跨ぐ断面コの字形をなす置き台としたことを特徴とする請求項１又は２に記載の安定器付きランプホルダ。
【請求項４】
前記置き台を前記安定器に固定したことを特徴とする請求項３記載の安定器付きランプホルダ。
【請求項５】
前記スペーサ手段を前記底壁の内面から上向きに突出する凸部で形成したことを特徴とする請求項１記載の安定器付きランプホルダ。
【請求項６】
請求項１〜５の内のいずれか１項に記載の安定器付きランプホルダと、
このホルダに着脱可能に取付けられる放電ランプと、
を具備することを特徴とする照明器具。
【発明の詳細な説明】
【０００１】
【発明の属する技術分野】
本発明は、例えば高天井用の照明器具に関するとともに、この照明器具に備えられる安定器付きランプホルダに関する。
【０００２】
【従来の技術】
図７は従来の高天井用照明器具の構成を一部断面して示す側面図であって、この照明器具１は、収容体２及びランプホルダ部３を有するランプホルダ４と、放電ランプ５とを備えて構成され、天井に取付けられている。収容体２は、底壁２ａを有し、かつ上面が開口された中空状であり、その底壁２ａには図６及び図７に示されるように電線通孔６が設けられている。収容体２内には、積層鉄心７ａとこれに組合わされるコイル７ｂとを有して形成された限流素子７及び力率改善コンデンサ８からなる安定器９が収容され、この安定器９は収容体２の下部に充填された充填材１０に埋め込まれている。底壁２ａにはその下方に位置してランプホルダ部３が取付けられ、このホルダ部３には放電ランプ５が着脱可能に取付けられている。なお、図７中１１は端子台、１２は電源ボックスである。
【０００３】
前記電線通孔６は限流素子７で覆い隠される位置に設けられていて、この通孔６を通って配線される電線１３を介して安定器９とランプホルダ部３とが電気的に接続されている。したがって、ランプホルダ部３より電線通孔６を通って収容体２内に引出された電線１３は、底壁２ａの内面に沿って配線されてから限流素子７の側面に沿わされて、この側面にある端子部７ｃ等に接続されている。そして、前記安定器９の限流素子７は底壁２ａに沿った電線部分上に直接載置して収容体２の下部に収容され、この状態で液状の充填材１０を注入して放置することにより、充填材１０が固化して限流素子７を埋め込んでいる。
【０００４】
この構成では、底壁２ａに沿った電線部分が、積層鉄心からなる故に重い安定器９の限流素子７と底壁２ａとの間に挟まれるため、電線１３の絶縁被覆が限流素子７の角部等によって傷付けられる恐れがある。しかも、前記電線部分に乗り上がっている限流素子７の姿勢が安定しないので、金属製収容体２への充填材１０の注入の際等に限流素子７が動いて限流素子７の側面にある端子部７ｃが収容体２に接触するおそれがある。そのため、これら端子部７ｃと収容体２との間の絶縁対策を要するので、コストがかかるという問題がある。
【０００５】
【発明が解決しようとする課題】
したがって、本発明が解決しようとする課題は、安定器と放電ランプとにわたる電線の傷付きを防止できるとともに、安定器と収容体との間の絶縁対策が不要で安価ま安定器付きランプホルダ及び照明器具を得ることにある。
【０００６】
【課題を解決するための手段】
前記課題を解決するために、請求項１に記載の発明に係る安定器付きランプホルダは、底壁に電線通孔が設けられた中空状の収容体と、前記底壁に取付けられて放電ランプを支持するランプホルダ部と、前記収容体内に前記電線通孔を覆い隠して配置された安定器と、この安定器と前記底壁内面との間に前記電線通孔に連通する通線間隙を形成して、これら安定器と底壁内面とのいずれか一方に固定されたスペーサ手段と、前記通線間隙及び前記電線通孔を通って前記ランプホルダ部と前記安定器とを電気的に接続する電線と、を具備し、前記スペーサ手段の先端部をこれに対応して前記底壁又は前記安定器に設けられた溝に嵌合させることを特徴とするものである。
【０００７】
請求項１の発明及び以下の発明において、安定器は、積層鉄心とこれに組合わされたコイルを有して形成された限流素子を主体とするものであり、限流素子のみでも良く、又、力率改善用コンデンサ等の付属部品が付加されていてもよい。限流素子にはチョークコイル形又はリーケージトランス形等のものを利用できる。
【０００８】
スペーサ手段は金属又は合成樹脂或いはセラミックス等から形成される。このスペーサ手段は、安定器又は収容体の底壁と一体に成形してもよく、或いは別に成形されたものを用意してもよく、別体の場合に安定器又は収容体の底壁に固定しても、しなくてもよい。又、スペーサ手段は凹凸嵌合により収容体に対し安定器を位置決めする機能を有するものが好ましい。
【０００９】
収容体は、金属、合成樹脂、セラミックス、或いはこれらの複合材であってもよく、金属の場合、鋳造又は切削により形成してもよく、更に板金を用いて加工、成形してもよい。
【００１０】
ランプホルダ部は、ランプを支持するものであればよい。したがって、ランプソケットのみでもよい。
【００１１】
請求項１の発明に係る安定器付きランプホルダおいて、スペーサ手段は、収容体の底壁と、この底壁上に電線通孔を覆い隠して配置される安定器との間に設けられて、底壁と安定器との間に、電線通孔に連通する通線間隙を形成する。そして、安定器とランプホルダ部とを接続する電線は、互いに連通した電線通孔及び通線間隙を通って配線される。したがって、安定器が電線上に直接載置されることがなくなるから、安定器によって電線の絶縁被覆が傷付けられる恐れをなくすことができる。しかも、スペーサ手段により底壁上に安定器を安定して支持できるので、安定器の姿勢が不用意に変わってその端子部が金属製収容体に接触するような恐れがなくなるに伴い、端子部と収容体間の絶縁対策を不要にできる。
【００１２】
請求項１の発明の実施するにあたり、これに従属する請求項２の発明のように、スペーサ手段を安定器に設けることができ、この場合、スペーサ手段は安定器と一体でも別体でもよい。特に、請求項２の発明の実施するにあたり、この発明に従属する請求項３の発明のように、スペーサ手段を電線通孔を跨ぐ断面コの字形をなす置き台とするとよい。更に、請求項３の発明に従属する請求項４の発明のように、置き台を安定器に固定するとよく、この場合には、収容体への置き台の組込み忘れがないとともに組込みを安定器の組込みと同時に行えるから、別々に組込む手間を要することがない点で優れている。更に、請求項１の発明の実施するにあたり、これに従属する請求項５の発明のように、スペーサ手段を底壁の内面から上向きに突出する凸部で形成するとよく、この場合にはスペーサ手段として別部品を用いないで済む点で優れている。
【００１３】
又、請求項１の発明に係る安定器付きランプホルダは、スペーサ手段の先端部をこれに対応して底壁又は安定器に設けられた溝に嵌合させたことを特徴とする。この発明においては、スペーサ手段と溝とが嵌合するから、スペーサ手段を介して安定器を収容体に対して位置決めできる点で優れている。
【００１４】
請求項６の発明に係る照明器具は、請求項１〜５の内のいずれか１項に記載の安定器付きランプホルダと、このホルダに着脱可能に取付けられる放電ランプと、を具備することを特徴とする。
【００１５】
この発明においては、安定器により電線が傷付けられることがなく、かつ、安定器の端子部と金属製収容体との間の絶縁体策を省略できる安定器付きランプホルダを具備するので、安価で品質の高い照明器具を提供できる。
【００１６】
【発明の実施の形態】
以下、図１〜図３を参照して本発明の第１の実施の形態を説明する。
【００１７】
エントランス等の高天井Ａに下向きに装着して使用される第１実施形態に係る照明器具２１の構成は図１に示されている。この器具２１は、安定器付きランプホルダ２２と、このホルダ２２に着脱可能に取付けられた放電ランプ２３とを具備している。
【００１８】
安定器付きランプホルダ２２は、収容体３１と、この内部に収容された安定器３２と、収容体３１の下端部に連結されたランプホルダ部３３と、スペーサ手段をなす置き台３４と、電線３５とを備えている。
【００１９】
収容体３１は、放熱性が良い金属例えばアルミニューム合金をダイカストにより鋳造して成形されたものであって、底壁３１ａを有した中空円筒形状をなし、その上面は開口されている。この収容体３１の外周面には放熱用フィンを複数設けることができる。図１及び図２に示されるように底壁３１ａの中央部には上下方向に貫通する電線通孔３６が開けられている。更に、底壁３１ａの内面には電線通孔３６を間に置いて互いに平行な一対の溝３７が設けられている。
【００２０】
底壁３１ａの下面には電線通孔３６を覆い隠してランプホルダ部３３が取付けられている。このホルダ部３３はランプソケット３８及びランプカバー３９を有し、そのソケット３８には放電ランプ２３が取付けられる。放電ランプ２３にはメタルハライドランランプ等を使用できる。
【００２１】
図１に示されるように安定器３２は限流素子４１及びこれに付設された力率改善用コンデンサ４２とを有してなる。図３に示されるように限流素子４１は積層鉄心４１ａとこれに組合わされたコイル４１ｂとを有し、限流素子４１の側面にはコイル４１ｂの端末又は電線３５が接続される複数の端子部４１ｃが取付けられている。この安定器３２は限流素子４１を下側にして収容体３１内に収容されている。
【００２２】
置き台３３は、図３に示されるように金属板をコの字形に折り曲げてなるものであって、限流素子４１の下面に例えば溶接により固定されている。したがって、置き台３３の互いに平行な一対の脚板部３４ａは下向きに突出されている。両脚板部３４ａの離間間隔は前記一対の溝３７の間隔に等しく、これらの溝３７に脚板部３４ａの先端部が嵌合され、それにより、置き台３３及び限流素子４１は位置決めされて、収容体３１内に配置されている。置き台３３の両脚板部３４ａ間の主要板部分は、前記位置決め状態において水平状を呈し、この上に限流素子４１が取付けられている。置き台３３の使用により限流素子４１の下面と底壁３１ａの内面との間に通線間隙Ｇを形成している。この間隙Ｇの高さは電線３５の直径の数倍程度であり、又、通線間隙Ｇは電線通孔３６に連通している。
【００２３】
収容体３１の下部に収容された限流素子４１は、熱伝導性が良い不飽和ポリエステルの充填材４３に埋設されている。充填材４３は液状の状態で注入された後に固化されたものであって、限流素子４１を固定するとともに耐湿性を高め、かつ、ランプ点灯時に限流素子４１が発生する熱を収容体３１に伝導するために用いられている。
【００２４】
収容体３１の上端部には板金製の電源ボックス４４が取付けられ、照明器具２１は、ボックス４４の天井壁をなす取付け金具４５を介して図示しないねじにより天井Ａに取付けられている。電源ボックス４４内にはその天井Ａから内部に引込まれる図示しない電源線等が接続される端子台４６が取付けられている。前記電線３５は端子台４６と安定器３２とランプホルダ部３３とにわたって配線されている。このように配線される電線３５の一部は、図１に示されるように限流素子４１の端子部４１ｃがある側面及び底壁３１ａの内面に沿って配線されるとともに、通線間隙Ｇ及び電線通孔３６を通ってランプホルダ部３３に導かれている。
【００２５】
前記のように収容体３１の底壁３１ａ内面と安定器３２の限流素子４１の下面との間に、限流素子４１を載置する置き台３４を設けて、この置き台３４により底壁３１ａ内面と限流素子４１の下面との間に形成された通線間隙Ｇに安定器３２とランプホルダ部３３との間にわたる電線３５を配線したから、底壁３１ａ上に沿っている電線部分上に直接限流素子４１が乗ることを置き台３４によって防止できる。
【００２６】
そのため、底壁３１ａに沿った電線部分が、限流素子４１と底壁３１ａとの間に挟まれて、その絶縁被覆が限流素子４１の角部等によって傷付けられる恐れをなくすことができる。又、充填材４３が固化する以前の状態での限流素子４１の姿勢を置き台３４によって安定させることができるから、収容体３１への充填材４３の注入の際等に限流素子４１が動いてその端子部４１ｃが収容体３１の内周面に必要以上に接近したり接触したりするおそれもなくすことができる。それに伴い、端子部４１ｃと収容体３１の内周面との間の絶縁対策を省略できるので、作業工数及び部品点数が削減されて、安価に得ることができる。
【００２７】
しかも、この第１実施形態では、置き台３４自体を底壁３１ａの溝３７との嵌合により位置決めしたので、不用意な動き止めをより効果的に実現できる。しかも、置き台３４を限流素子４１に固定したから、置き台３４の組込み忘れがないとともに、収容体３１内への置き台３４の組込みを安定器３２の組込みと同時に行え、別々に組込む手間を要することがなく作業性がよい。
【００２８】
又、既述のように置き台３４を用いて電線３５の傷付き防止と限流素子４１の姿勢の安定性を確保した構成おいては、底壁３１ａに電線３５を収容する凹みを設けて電線３５の傷付きを防止する場合に比較して、電線通孔３６への充填材４３の流れ込みを悪くできるに伴い、充填材４３が電線通孔３６を通って外部に漏れる恐れを少なくできる。
【００２９】
なお、この第１実施形態においては、底壁３１ａの溝３７を省略して実施してもよく、又、置き台３４を限流素子４１に固定することなく実施してもよい。更に、置き台３４の脚板部３４ａに相当する部分を積層鉄心４１ａに一体に設けて、その部分によりスペーサ手段を構成しても実施することもでき、この場合に部品点数及び組立工数を削減できる。
【００３０】
図４および図５は本発明の第２の実施の形態を示している。この実施の形態は基本的には前記第１実施形態と同様な構成であるので、同様構成部分には前記第１実施形態と同じ符号を付して、その構成および作用の説明を省略し、以下異なる部分について説明する。第２実施形態が第１実施形態と異なる部分は、スペーサ手段である。
【００３１】
すなわち、第２実施形態においてスペーサ手段は、図４に示すように底壁３１ａの内面から上向きに一体に突設された複数の凸部、たとえば同じ高さの一対のリブ１３４で形成されている。これらリブ１３４は図５に示すように電線通孔３６を間に置いて互いに平行に設けられている。これら一対のリブ１３４上には安定器３２の限流素子４１が載置され、したがって、限流素子４１の下面と底壁３１ａの内面との間にはリブ１３４の高さに相当する通線間隙Ｇが形成される。
【００３２】
したがって、この第２実施形態においても、第１実施形態と同様な理由により電線３５の傷付き防止と限流素子４１の姿勢の安定性を確保できる。しかも、スペーサ手段をなすリブ１３４が底壁３１ａと一体であるので、部品点数及び組立工数を削減できるとともに、スペーサ手段の組込み忘れもなく、又、発熱する限流素子４１から底壁３１ａ側への熱伝導（放熱性）をよくできる。
【００３３】
なお、この第２実施形態において、リブ１３４の先端部が嵌合する溝を限流素子４１の下面に設けて実施することもできる。
【００３４】
【発明の効果】
本発明は、以上説明したような形態で実施され、以下に記載されるような効果を奏する。
【００３５】
請求項１〜５に記載の発明に係る安定器付きランプホルダ及び請求項６に記載の発明に係る照明器具によれば、安定器と放電ランプとにわたる電線の傷付きを防止できるとともに、安定器と収容体との間の絶縁対策が不要で安価にできる安定器付きランプホルダ及び照明器具を提供できる。
【図面の簡単な説明】
【図１】本発明の第１の実施の形態に係る高天井用照明器具の構成を一部断面して示す側面図。
【図２】図１に示された照明器具が備える収容体の構成を示す平面図。
【図３】図１に示された照明器具が備える安定器の限流素子の構成を示す側面図。
【図４】本発明の第２の実施の形態に係る照明器具の構成を示す断面図。
【図５】図４に示された照明器具が備える収容体の構成を示す平面図。
【図６】従来技術に係る照明器具が備える収容体の構成を示す平面図。
【図７】従来技術に係る高天井用照明器具の構成を一部断面して示す側面図。
【符号の説明】
２１…照明器具、
２２…安定器付きランプホルダ、
２３…放電ランプ、
３１…収容体、
３１ａ…収容体の底壁、
３２…安定器、
３３…ランプホルダ部、
３４…置き台（スペーサ手段）、
３４ａ…置き台の脚板部、
３５…電線、
３６…電線通孔、
３７…溝、
４１…限流素子（安定器）、
４１ｃ…限流素子の端子部、
４２…コンデンサ（安定器）、
１３４…リブ（スペーサ手段）、
Ｇ…通線間隙。
【図１】
0003997645.tif 000002
【図２】
0003997645.tif 000003
【図３】
0003997645.tif 000004
【図４】
0003997645.tif 000005
【図５】
0003997645.tif 000006
【図６】
0003997645.tif 000007
【図７】
0003997645.tif 000008